(57)【特許請求の範囲】
【請求項１】
撮像した映像コンテンツデータを記録媒体に記録する撮像装置と，前記撮像装置から伝送される前記映像コンテンツデータを表示する編集者端末装置と，前記撮像装置および前記編集者端末装置を相互に接続するネットワークとから成る映像コンテンツ編集支援システムにおいて：
前記映像コンテンツデータに関連する情報で構成される電子マークデータを前記電子マークデータと一対一に対応し、前記電子マークデータより容量が少ない電子ショットマークデータに変換するためのマークテーブルを記憶するマーク変換部と，
前記電子マークデータおよび前記電子ショットマークデータを前記映像コンテンツデータに記述する記録部と，
前記映像コンテンツデータに記述された前記電子ショットマークデータを基準として，前記映像コンテンツデータに含まれる画像フレームデータを抽出する編集部とを備えていることを特徴とする，映像コンテンツ編集支援システム。
【請求項２】
前記記録部は，前記映像コンテンツデータと，前記電子マークデータおよび電子ショットマークデータとを，ほぼ同時間に記述することを特徴とする，請求項１に記載の映像コンテンツ編集支援システム。
【請求項３】
前記編集部は，前記電子マークデータに基づいて抽出された画像フレームデータから，前記画像フレームデータの見出し情報を含むショットカードデータを作成することを特徴とする，請求項１に記載の映像コンテンツ編集支援システム。
【請求項４】
前記編集部は，予め前記映像コンテンツデータに記述された電子ショットマークデータに基づいて，前記画像フレームデータの見出し情報を含む前記ショットカードデータを作成することを特徴とする，請求項１に記載の映像コンテンツ編集支援システム。
【請求項５】
前記編集部は，前記電子ショットマークデータが記述された前記映像コンテンツデータの前記画像フレームデータよりも前後所定のタイムラグをもつ画像フレームデータを抽出することを特徴とする，請求項１に記載の映像コンテンツ編集支援システム。
【請求項６】
前記編集部は，編集者によって選択された前記ショットカードデータに対応するストーリーカードデータからなるストーリーボードデータを作成するとともに、前記ストーリーボードデータを構成する前記ストーリーカードデータに含まれる画像フレームデータの編集位置に基づいて、前記映像コンテンツデータを編集するための編集情報データを作成することを特徴とする，請求項１に記載の映像コンテンツ編集支援システム。
【請求項７】
前記記録部は，前記電子マークデータを前記記録媒体におけるヘリカルトラックに記録して，前記電子ショットマークデータを長手方向のタイムコードトラックに記録することを特徴とする，請求項１に記載の映像コンテンツ編集支援システム。
【請求項８】
前記電子マークデータは，テキストデータであることを特徴とする，請求項１に記載の映像コンテンツ編集支援システム。
【請求項９】
映像コンテンツデータを表示する編集者端末装置とネットワークを介して接続される撮像した映像コンテンツデータを記録媒体に記録する撮像装置であって：
前記撮像装置は，前記映像コンテンツデータに関連する情報で構成される電子マークデータおよび前記電子マークデータと一対一に対応し、前記電子マークデータより容量の少ない電子ショットマークデータを前記映像コンテンツデータに記述する記録部を備えることを特徴とする，撮像装置。
【請求項１０】
前記記録部は，前記映像コンテンツデータと，前記電子マークデータおよび電子ショットマークデータとを，ほぼ同時間に記述することを特徴とする，請求項９に記載の撮像装置。
【請求項１１】
前記記録部は，前記電子マークデータを前記記録媒体におけるヘリカルトラックに記録して，前記電子ショットマークデータを長手方向のタイムコードトラックに記録することを特徴とする，請求項９に記載の撮像装置。
【請求項１２】
前記電子ショットマークデータは，マークテーブルにより，前記映像コンテンツデータに関連する前記電子マークデータと一対一に対応することを特徴とする，請求項９に記載の撮像装置。
【請求項１３】
前記電子マークデータは，テキストデータであることを特徴とする，請求項９に記載の撮像装置。
【請求項１４】
映像コンテンツデータを表示する編集者端末装置とネットワークを介して接続される撮像装置により撮像した映像コンテンツデータが記録される記録媒体であって：
前記記録媒体は，前記映像コンテンツデータに関連する情報で構成される電子マークデータは，ヘリカルトラックに記録されて，前記電子マークデータと一対一に対応し、前記電子マークデータより容量の少ない電子ショットマークデータは長手方向のタイムコードデータに記録されることを特徴とする，記録媒体。
【請求項１５】
撮像した映像コンテンツデータを記録媒体に記録する撮像装置とネットワークを介して接続されて，前記映像コンテンツデータを表示する編集者端末装置であって：
前記編集者端末装置は，前記映像コンテンツデータに関連する電子マークデータを一対一に対応する電子ショットマークデータに変換するためのマークテーブルを記憶するマーク変換部と，
前記映像コンテンツデータに記述された前記電子ショットマークデータを基準として，前記映像コンテンツデータに含まれる画像フレームデータを抽出する編集部とを備えていることを特徴とする，編集者端末装置。
【請求項１６】
前記編集部は，予め前記映像コンテンツデータに記述された前記電子ショットマークデータに基づいて，前記画像フレームデータの見出し情報を含む前記ショットカードデータを作成することを特徴とする，請求項１５に記載の編集者端末装置。
【請求項１７】
前記編集部は，前記電子ショットマークデータが記述された前記映像コンテンツデータの前記画像フレームデータよりも前後所定のタイムラグをもつ画像フレームデータを抽出することを特徴とする，請求項１５に記載の編集者端末装置。
【請求項１８】
前記編集部は，編集者によって選択された前記ショットカードデータに対応するストーリーカードデータからなるストーリーボードデータを作成するとともに、前記ストーリーボードデータを構成する前記ストーリーカードデータに含まれる画像フレームデータの編集位置に基づいて、前記映像コンテンツデータを編集するための編集情報データを作成することを特徴とする，請求項１５に記載の編集者端末装置。
【請求項１９】
前記電子マークデータは，テキストデータであることを特徴とする，請求項１５に記載の編集者端末装置。
【請求項２０】
コンピュータをして請求項１５〜１９に記載の編集者端末装置として機能させることを特徴とする，コンピュータプログラム。
【請求項２１】
請求項２０に記載のコンピュータプログラムが記憶されたコンピュータ読み取り可能な記録媒体。
【請求項２２】
撮像した映像コンテンツデータを記録媒体に記録する撮像装置とネットワークを介して接続される前記撮像装置から伝送される前記映像コンテンツデータを表示する編集者端末装置とから成る映像コンテンツ編集支援方法であって：
前記映像コンテンツデータに関連する情報で構成される電子マークデータを，前記電子マークデータと一対一に対応し、前記電子マークデータより容量の少ない電子ショットマークデータにテーブルを用いて変換し；
前記電子マークデータおよび前記電子ショットマークデータを前記映像コンテンツデータに記述し；
前記映像コンテンツデータに記述された前記電子ショットマークデータを基準として，前記映像コンテンツデータに含まれる画像フレームデータを抽出することを特徴とする，映像コンテンツ編集支援方法。
【請求項２３】
前記記述する段階は，前記映像コンテンツデータと，前記電子マークデータおよび電子ショットマークデータとを，ほぼ同時間に記述することを特徴とする，請求項２２に記載の映像コンテンツ編集支援方法。
【請求項２４】
前記電子マークデータに基づいて抽出された画像フレームデータから，前記画像フレームデータの見出し情報を含むショットカードデータが作成されることを特徴とする，請求項２２に記載の映像コンテンツ編集支援方法。
【請求項２５】
予め前記映像コンテンツデータに記述された前記電子マークデータに基づいて抽出された画像フレームデータから，前記画像フレームデータの見出し情報を含むショットカードデータが作成されることを特徴とする，請求項２２に記載の映像コンテンツ編集支援方法。
【請求項２６】
前記抽出する段階は，前記電子ショットマークデータが記述された前記映像コンテンツデータの前記画像フレームデータよりも前後所定のタイムラグをもつ画像フレームデータを抽出することを特徴とする，請求項２２に記載の映像コンテンツ編集支援方法。
【請求項２７】
前記ショットカードデータに含まれる前記画像フレームデータの見出し情報および前記映像コンテンツデータの編集位置に基づいて，前記映像コンテンツデータの編集位置に関する情報が含まれる編集情報データが作成されることを特徴とする，請求項２２に記載の映像コンテンツ編集支援方法。
【請求項２８】
前記電子マークデータは，前記記録媒体におけるヘリカルトラックに記録されて，前記電子ショットマークデータは，長手方向のタイムコードトラックに記録されることを特徴とする，請求項２２に記載の映像コンテンツ編集支援方法。
【請求項２９】
前記電子マークデータは，テキストデータであることを特徴とする，請求項２２に記載の映像コンテンツ編集支援方法。
【発明の詳細な説明】
【０００１】
【発明の属する技術分野】
本発明は，映像コンテンツを編集する編集システムにかかり，特に映像コンテンツ編集支援システム，撮像装置，編集者端末装置，コンピュータプログラム，記憶媒体，映像コンテンツ編集支援方法，に関する。
【０００２】
【従来の技術】
ＴＶ（Ｔｅｌｅｖｉｓｉｏｎ）のニュース番組などは，取材先の現場で撮影された取材内容などコンテンツ素材である映像コンテンツデータを編集して放映している。上記映像コンテンツデータの編集において，粗編集処理と本編集処理などがある。本編集は，場面ごとに粗編集された映像コンテンツデータから，完成作品である最終映像コンテンツデータ（完全パッケージ）を制作することである。
【０００３】
粗編集は，撮影直後の素材データである映像コンテンツデータに構成される場面ごとの映像シーン（場面）の中から，最終工程である本編集で必要となる映像シーンを，編集者が選択して，選択された映像シーンの使用部分の抽出を行うために，編集開始位置（Ｉｎ点）および編集終了位置（Ｏｕｔ点）からなる時間的位置（タイムコード）を紙媒体などに記録して，必要な映像シーンを抽出する本編集前の編集作業（粗編集）である。
【０００４】
【発明が解決しようとする課題】
しかしながら，撮影された映像コンテンツデータを粗編集する作業は，撮影処理の終了後，まず映像コンテンツデータには，どのような映像シーンが記録されているのか，必要な場面がどこに存在するのか分かりにくいため，磁気テープなどの記録媒体に記録された映像コンテンツデータを記録再生装置（ＶＴＲ，Ｖｉｄｅｏ  Ｔａｐｅ  Ｒｅｃｏｒｄｅｒ）により映像コンテンツデータの最初から再生／巻戻し処理を繰返し行い，編集者等により必要な映像シーンが選択される。
【０００５】
さらに，選択された映像シーンの使用部分は，編集開始位置（Ｉｎ点）および編集終了位置（Ｏｕｔ点）のタイムコードにより決定される。また，タイムコードは，紙媒体などに記録されて，タイムコードの一覧表であるタイムコードリストが作成される。
【０００６】
したがって，映像コンテンツデータに構成される映像シーンについて，再生・巻き戻し処理などを繰返し行う必要があることから，上記映像シーンの選択（Ｌｏｇｇｉｎｇ）および選択された映像シーンの中から使用する個所の抽出作業である粗編集の効率が上がらないという問題点があった。
【０００７】
本発明は，上記問題点に鑑みてなされたものであり，本発明の目的は，必要な映像シーンの選択および抽出を，予め記述した電子マークデータに基づいて，行うことにより，編集処理の作業効率を高めることが可能な，新規かつ改良された映像コンテンツ編集支援システムを提供することである。
【０００８】
【課題を解決するための手段】
上記課題を解決するため，本発明の第１の観点によれば，被写体を撮影して，撮影される映像コンテンツデータを記録媒体に記録する撮像装置と，撮像装置から伝送される映像コンテンツデータを表示する編集者端末装置と，撮像装置および編集者端末装置を相互に接続するネットワークとから成る映像コンテンツ編集支援システムが提供される。この映像コンテンツ編集支援システムは，映像コンテンツデータに関連する電子マークデータを一対一に対応する電子ショットマークデータに変換するためのマークテーブルを記憶するマーク変換部と，電子マークデータおよび電子ショットマークデータを映像コンテンツデータに記述する記録部と，映像コンテンツデータに記述された電子ショットマークデータを基準として，画像フレームデータを抽出する編集部とを備えている。
【０００９】
本発明によれば，映像コンテンツデータの特徴が記述されたインデックスとして電子マークデータと，上記電子マークデータから一意的に特定される電子マークデータよりもデータの容量が少ない電子ショットマークデータとを，映像コンテンツデータに記述する。記述された電子ショットマークデータまたは電子マークデータを，索引のキーワード（Ｋｅｙ  Ｗｏｒｄ）として映像コンテンツデータから該当する画像フレームデータを抽出することができる。かかる構成によれば，表示される電子マークデータから映像の特徴を把握して，必要とされる映像シーンを，映像コンテンツデータを再生処理などで，確認することなく，映像シーンを抽出することが可能となる。なお，一の映像コンテンツデータは，一または二以上の映像シーンから構成される。また，一の映像シーンは，一または二以上の画像フレームデータから構成される。
【００１０】
なお，映像コンテンツデータに関連する電子マークデータを一意的に同定する電子ショットマークデータに変換するためのマークテーブルを記憶するマーク変換部は，上記撮像装置または上記編集者端末装置のどちらに備わってもよい。
【００１１】
また，電子マークデータおよび電子ショットマークデータを映像コンテンツデータに記述する記録部は，上記撮像装置または上記編集者端末装置のどちらに備わってもよい。
【００１２】
また，映像コンテンツデータに記述された電子ショットマークデータを基準として，画像フレームデータを抽出する編集部は，上記撮像装置または上記編集者端末装置のどちらに備わってもよい。
【００１３】
記録部は，撮影される映像コンテンツデータと，電子マークデータおよび電子ショットマークデータとを，実時間に記述するように構成することができる。かかる構成によれば，撮影による記録処理と並行してリアルタイムに映像コンテンツデータと電子マークデータおよび電子ショットマークデータとを記述することにより，撮影終了後に記述するよりも編集作業の効率化を図れる。
【００１４】
編集部は，電子マークデータに基づいて，画像フレームデータの見出し情報を含むショットカードデータを作成するように構成することができる。かかる構成により，撮影処理と並行して，記述される電子マークデータから編集処理に必要な映像シーン，映像シーンに関連する見出し情報，またはタイムコードを含むショットカードデータをリアルタイムに作成することが可能となり編集作業の効率化を図れる。
【００１５】
編集部は，撮影された映像コンテンツデータに記述された電子マークデータに基づいて，画像フレームデータの見出し情報を含むショットカードデータを作成するように構成することができる。かかる構成により，撮影処理で映像コンテンツデータに記述された電子ショットマークデータを通常再生よりも速く再生する変速再生により検出して，電子ショットマークデータと一意的に同定される電子マークデータに基づいて，編集処理に必要な映像シーン，映像シーンに関連する見出し情報，またはタイムコードを含むショットカードデータを一括して作成することが可能であり，編集作業の効率化を図れる。
【００１６】
編集部は，電子ショットマークデータが記述された映像コンテンツデータの画像フレームデータよりも所定のタイムラグをもつ前後の画像フレームデータを抽出するように構成することができる。かかる構成により，特徴のある映像シーンの画像フレームデータに対して電子ショットマークデータが記述されるタイミングが遅いまたは早い場合，記述された位置から前後する画像フレームデータを抽出することにより目的とする画像フレームデータを抽出することが可能となり，粗編集による抽出作業の省力化を図れる。
【００１７】
編集部は，ショットカードデータに基づいて，編集が行われた映像コンテンツデータから，編集情報データを作成するように構成することができる。かかる構成により，本編集前に，予め映像コンテンツデータにおける使用される映像シーンの編集開始位置や編集終了位置を表示するタイムコードをはじめとした編集情報データを作成することにより，本編集までの処理効率の向上を図れる。
【００１８】
記録部は，電子マークデータを記録媒体におけるヘリカルトラックに記録して，電子ショットマークデータを記録媒体の長手方向のタイムコードトラックに記録するように構成することができる。かかる構成により，映像コンテンツデータに記述された電子マークデータは，外部に送受信する場合に使用されて，電子ショットマークデータは，該当の電子マークデータを検索する場合に使用される。
【００１９】
電子マークデータは，テキストデータであるように構成することができる。かかる構成により，映像コンテンツデータの映像シーンに関連する内容とテキストにより記述することが可能となり，映像シーンの特徴を容易に認識できる。
【００２０】
電子マークデータは，入力される音声に基づいて生成されるように構成することができる。かかる構成により，電子マークデータを利用者からの声または音により電子マークデータを作成して，映像コンテンツデータに記述することが可能となり，電子マークデータの記述処理の容易化を図れる。
【００２１】
なお，編集部は，撮影された映像コンテンツデータに記述された全ての電子ショットマークデータに対して，一括して電子ショットマークデータを抽出してから，ショットカードデータを作成するように構成してもよい。
【００２２】
また，編集部は，撮影された映像コンテンツデータに記述された全ての電子ショットマークデータに対して，１つの電子ショットマークデータが検索される毎にショットカードデータの作成を行うように構成してもよい。
【００２３】
さらに，上記課題を解決するための本発明の別の観点によれば，映像コンテンツデータを表示する編集者端末装置とネットワークを介して接続される，被写体を撮影して，撮影される映像コンテンツデータを記録媒体に記録する撮像装置が提供される。この撮像装置は，映像コンテンツデータに関連する電子マークデータおよび電子マークデータから一意的に同定される（一対一に対応される）電子ショットマークデータを映像コンテンツデータに記述する記録部を備えている。
【００２４】
本発明によれば，撮像装置は，映像コンテンツデータの特徴が記述されたインデックスとしての電子マークデータと，マークテーブルに基づいて電子マークデータから一意的に変換された電子ショットマークデータとを映像コンテンツデータに記述する。かかる構成によれば，記述された電子マークデータから映像の特徴を把握して，必要とされる映像シーンを，映像コンテンツデータを再生処理などで，確認することなく，映像シーンを抽出することが可能となる。なお，一の映像コンテンツデータは，一または二以上の映像シーンから構成される。また，一の映像シーンは，一または二以上の画像フレームデータから構成される。
【００２５】
記録部は，撮影される映像コンテンツデータと，電子マークデータおよび電子ショットマークデータとを，ほぼ実時間に記述するように構成することができる。かかる構成によれば，撮影による記録処理と並行してリアルタイムに映像コンテンツデータと，電子マークデータおよび電子ショットマークデータとを記述することにより，撮影終了後に記述するよりも編集作業の効率化を図れる。
【００２６】
記録部は，電子マークデータを記録媒体におけるヘリカルトラックに記録して，電子ショットマークデータを記録媒体の長手方向のタイムコードトラックに記録するように構成することができる。かかる構成により，映像コンテンツデータに記述された電子マークデータは，外部に送受信する場合に使用されて，電子ショットマークデータは，該当の電子マークデータを検索する場合に使用される。
【００２７】
電子マークデータは，テキストデータであるように構成することができる。かかる構成により，映像コンテンツデータの映像シーンに関連する内容とテキストにより記述することが可能となり，映像シーンの特徴を容易に認識できる。
【００２８】
電子マークデータは，入力される音声に基づいて生成されるように構成することができる。かかる構成により，電子マークデータを利用者からの声または音により電子マークデータを作成して，映像コンテンツデータに記述することが可能となり，電子マークデータの記述処理の容易化を図れる。
【００２９】
さらに，上記課題を解決するための本発明の別の観点によれば，映像コンテンツデータを表示する編集者端末装置とネットワークを介して接続される，被写体を撮影して，撮影される映像コンテンツデータを撮像装置により記録される記録媒体が提供される。記録媒体は，映像コンテンツデータに関連する電子マークデータは，ヘリカルトラックに記録されて，電子マークデータに一意的に同定される電子ショットマークデータは長手方向のタイムコードデータに記録される。
【００３０】
本発明によれば，電子ショットマークデータおよび電子マークデータが記録された記録媒体を，記録再生装置（ＶＴＲ：Ｖｉｄｅｏ  Ｔａｐｅ  Ｒｅｃｏｒｄｅｒ）などにより再生することができる。かかる構成により，映像を視聴するための通常再生よりも再生速度が速い変速再生において，電子ショットマークデータを検出することが可能となる。さらに，検出された電子ショットマークデータと一意的に同定される電子マークデータにより映像シーンの特徴を把握することが可能となる。
【００３１】
さらに，上記課題を解決するための本発明の別の観点によれば，撮像装置により撮影された映像コンテンツデータと，映像コンテンツデータに記述された電子マークデータおよび電子ショットマークデータとが記録された記録媒体が提供される。
【００３２】
さらに，上記課題を解決するための本発明の別の観点によれば，被写体を撮影して，撮影される映像コンテンツデータを記録媒体に記録する撮像装置とネットワークを介して接続されて，映像コンテンツデータを表示する編集者端末装置が提供される。この編集者端末装置は，映像コンテンツデータに関連する電子マークデータを一意的に同定するためのマークテーブルを記憶するマーク変換部と，映像コンテンツデータに記述された電子ショットマークデータを基準として，画像フレームデータを抽出する編集部を備えている。
【００３３】
本発明によれば，編集者端末装置は，電子マークデータおよび電子ショットマークデータを記述させて，記述された電子ショットマークデータを，索引のキーワード（Ｋｅｙ  Ｗｏｒｄ）として映像コンテンツデータから該当する画像フレームデータを抽出することができる。かかる構成によれば，表示される電子マークデータから映像の特徴を把握して，必要とされる映像シーンを，映像コンテンツデータを再生処理などで，確認することなく，映像シーンを抽出することが可能となる。なお，ある一の映像コンテンツデータは，一または二以上の映像シーンから構成される。さらに，ある一の映像シーンは，一または二以上の画像フレームデータから構成される。
【００３４】
電子ショットマークデータは，映像コンテンツデータに関連する電子マークデータを一意的に同定するマークテーブルにより，変換されるように構成することができる。かかる構成によれば，電子マークデータと一対一に対応する電子ショットマークデータに変換することにより，目的のキーワードの索引をする場合に，電子ショットマークデータから検索することができる。
【００３５】
編集部は，電子マークデータに基づいて，画像フレームデータの見出し情報を含むショットカードデータを作成するように構成することができる。かかる構成により，撮影処理と並行して，記述される電子マークデータから編集処理に必要な映像シーン，映像シーンに関連する見出し情報，またはタイムコードを含むショットカードデータをリアルタイムに作成することが可能となり編集作業の効率化を図れる。
【００３６】
編集部は，撮影された映像コンテンツデータに記述された電子マークデータに基づいて，画像フレームデータの見出し情報を含むショットカードデータを作成するように構成することができる。かかる構成により，撮影処理で映像コンテンツデータに記述された電子ショットマークデータを通常再生よりも速く再生する変速再生により検出して，電子ショットマークデータと一意的に同定される電子マークデータに基づいて，編集処理に必要な映像シーン，映像シーンに関連する見出し情報，またはタイムコードを含むショットカードデータを一括して作成することが可能となり編集作業の効率化を図れる。
【００３７】
編集部は，電子ショットマークデータが記述された映像コンテンツデータの画像フレームデータよりも所定のタイムラグをもつ以前または以後の画像フレームデータを抽出するように構成することができる。かかる構成により，特徴のある映像シーンの画像フレームデータに対して電子ショットマークデータが記述されるタイミングが遅れるまたは早い場合，記述された位置から前後する画像フレームデータを抽出することにより目的とする画像フレームデータを抽出することが可能となり，粗編集による抽出作業の省力化を図れる。
【００３８】
編集部は，ショットカードデータに基づいて，編集が行われた映像コンテンツデータから，編集情報データを作成するように構成することができる。かかる構成により，本編集前に，予め映像コンテンツデータにおける使用される映像シーンの編集開始位置や編集終了位置を表示するタイムコードをはじめとした編集情報データを作成することにより，本編集までの処理効率の向上を図れる。
【００３９】
電子マークデータは，テキストデータであるように構成することができる。かかる構成により，映像コンテンツデータの映像シーンに関連する内容とテキストにより記述することが可能となり，映像シーンの特徴を容易に認識できる。
【００４０】
電子マークデータは，入力される音声に基づいて生成されるように構成することができる。かかる構成により，電子マークデータを利用者からの声または音により電子マークデータを作成して，映像コンテンツデータに記述することが可能となり，電子マークデータの記述処理の容易化を図れる。
【００４１】
さらに，上記課題を解決するための本発明の別の観点によれば，コンピュータをして編集者端末装置として機能させるコンピュータプログラムおよびそのコンピュータプログラムが記憶されたコンピュータ読み取り可能な記憶媒体が提供される。
【００４２】
さらに，上記課題を解決するための本発明の別の観点によれば，編集者端末装置により作成されたショットカードデータが記録される記録媒体が提供される。
【００４３】
さらに，上記課題を解決するための本発明の別の観点によれば，被写体を撮影して，撮影される映像コンテンツデータを記録媒体に記録する撮像装置とネットワークを介して接続される撮像装置から伝送される映像コンテンツデータを表示する編集者端末装置とから成る映像コンテンツ編集支援方法が提供される。この映像コンテンツ編集支援方法は，映像コンテンツデータに関連する電子マークデータを一意的に同定する（一対一に対応する）電子ショットマークデータに変換し，電子マークデータおよび電子ショットマークデータを映像コンテンツデータに記述し，映像コンテンツデータに記述された前記電子ショットマークデータを基準として，画像フレームデータを抽出することを特徴としている。
【００４４】
電子マークデータおよび電子ショットマークデータは，撮影される映像コンテンツデータと，実時間に記述されるように構成してもよい。
【００４５】
画像フレームデータの見出し情報を含むショットカードデータは，電子マークデータに基づいて，作成されるように構成してもよい。
【００４６】
画像フレームデータの見出し情報を含むショットカードデータは，予め映像コンテンツデータに記述された電子ショットマークデータに基づいて，作成されるように構成してもよい。
【００４７】
電子ショットマークデータが記述された映像コンテンツデータの画像フレームデータよりも所定のタイムラグをもつ以前または以後の画像フレームデータが抽出されるように構成してもよい。
【００４８】
編集が行われた映像コンテンツデータは，ショットカードデータに基づいて，編集情報データが作成されるように構成してもよい。
【００４９】
電子マークデータは，記録媒体におけるヘリカルトラックに記述（記録）されて，電子ショットマークデータを記録媒体の長手方向のタイムコードトラックに記述（記録）されるように構成してもよい。また，電子マークデータは，テキストデータであるように構成してもよい。
【００５０】
電子マークデータは，入力される音声に基づいて生成されるように構成してもよい。
【００５１】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００５２】
（１．  システム構成）
まず，図１，図２，および図３を参照しながら，本発明に基づいて構成された映像コンテンツ編集支援システムの構成について説明する。図１は，本実施の形態にかかる映像コンテンツ編集支援システムの概略的な構成を示すブロック図であり，図２は，本実施の形態にかかる映像コンテンツ編集支援システムの編集者端末装置４の構成を示すブロック図であり，図３は，本実施の形態にかかる映像コンテンツ編集支援システムの撮像装置２の構成を示すブロック図である。
【００５３】
まず，図１に示すように，映像コンテンツ編集支援システムは，ネットワーク１６を介して，ビデオカメラなどの撮像装置２と，携帯用コンピュータ装置６，携帯電話８，または携帯端末１０などからなる編集者端末装置４とが相互に接続されている。
【００５４】
上記撮像装置２は，必ずしも１台から構成される必要はなく，複数台からなる撮像装置２が，ネットワーク１６を介して，複数台から構成される編集者端末装置４とピアツーピア（Ｐｅｅｒ  ｔｏ  Ｐｅｅｒ）に接続されている。
【００５５】
また，撮像装置２と，編集者端末装置４との間にサーバ（図示せず）を備えることで，ピアツーピアではなく，撮像装置２および編集者端末装置４をクライアントとした，クライアント／サーバ（Ｃｌｉｅｎｔ／Ｓｅｒｖｅｒ）のネットワークに構成することも可能である。
【００５６】
撮像装置２は，カムコーダなどの，ビデオカメラであり，放送用のニュース番組の取材や，スポーツなどの試合の模様や，映画などの素材の撮影に使用される装置である。
【００５７】
また図１に示すように，記録媒体１４を撮像装置２にセットすることで，例えば取材の現場で，撮像装置２により映像コンテンツデータを記録媒体１４に記録することができる。なお，本実施の形態にかかる記録媒体１４は，磁気テープなどの媒体であり，例えばＤ１０用とされるデジタルＶＴＲフォーマットのビデオテープなどを巻装している。
【００５８】
撮像装置２は，取材などで撮影された素材（映像コンテンツデータ）を磁気テープなどの記録媒体１４に記録して，記録された映像コンテンツデータを再生することも可能である。
【００５９】
映像コンテンツデータは，写真や絵画などの静止画像データ，映画や演劇などの動画像データ，ラジオ番組などの音声データ，またはそれらの組合せから構成されるデータである。なお，本実施の形態にかかる映像コンテンツデータは，コンピュータの読取り可能なデジタルデータを使用しているが，アナログデータであっても実施可能である。
【００６０】
また，１の映像コンテンツデータには，１または２以上の場面から成る映像シーンが構成されて，さらに，１の映像シーンには，１または２以上の画像フレームデータが構成される。画像フレームデータの１または２以上のフレームの集まりが１つの場面を構成する映像シーンとなる。
【００６１】
上記記録された映像コンテンツデータに構成される１または２以上からなる映像シーンの中から，まず，本編集で使用される映像シーン（カット）を集めて選択して，（Ｌｏｇｇｉｎｇ），映像シーンの中から，使用される編集開始位置（Ｉｎ点）または編集終了位置（Ｏｕｔ点）を設定して編集を行い，本編集のための映像シーンの抽出処理などから成る，粗編集を経て，番組などで放送（放映）するための完全パッケージデータが作成される（本編集）。
【００６２】
上記完全パッケージデータは，従来では，映像コンテンツデータ（記録素材データ）が記録された記録媒体１４を，映像コンテンツデータの最初から再生して，使用されると思われる映像シーンのＩｎ点またはＯｕｔ点である編集位置を，記録媒体１４に記録されたタイムコードに基づいて，人手により編集位置を決定して紙媒体などに記録していた。なお，タイムコードについては，後程詳細に説明する。
【００６３】
編集者端末装置４は，撮像装置２から撮影される映像コンテンツデータを，ネットワーク１６を介してリアルタイムで受信して，撮影されている映像コンテンツをディスプレイ装置などに表示する。したがって，撮影者が撮影している内容を，撮像装置２とは別の場所で撮影者と同じ視点で確認できる。なお，伝送された映像コンテンツデータを記憶装置などに記憶することも可能である。
【００６４】
ネットワーク１６は，ＩＥＥＥ８０２．１１ｂ規格などを始めとした無線またはＲＳ−２３２Ｃなどの有線から構成される。また，衛星通信や，光ファイバなどの有線，無線などから構成することも可能である。
【００６５】
（１．１  電子マークデータについて）
つぎに，本実施の形態にかかる電子マークデータの特徴について説明する。
【００６６】
電子マークデータは，撮影時において，映像データまたは音声データなどからなる映像コンテンツデータに記述（記録）される映像コンテンツデータに関連した情報から構成された関連データ（メタデータ）である。
【００６７】
電子マークデータは，ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）標準規格が定めるところの方法に従い，ＳＤＩ（Ｓｅｒｉａｌ  Ｄｉｇｉｔａｌ  Ｉｎｔｅｒｆａｃｅ）などによりネットワーク１６を介して伝送される。
【００６８】
電子マークデータは，映像コンテンツデータに構成される１または２以上から成る映像シーンの特徴または決定的瞬間などの画像の特徴などをテキストデータにより表されたメタデータであり，映像コンテンツデータに記述された電子マークデータをキーワードとして索引するための見出し情報（インデックス）でもある。
【００６９】
また，電子マークデータは，映像コンテンツデータの画像フレームデータごとに記述することが可能である。なお，本実施の形態にかかる電子マークデータは，英文字３２文字以内であるが，かかる例に限定されず，テキストであれば字数および文字種類に関係なく実施可能であり，例えば，カタカナ１００文字あっても実施可能である。
【００７０】
上記電子マークデータは，撮像装置２により，映像コンテンツデータと共に，磁気テープなどの記録媒体１４におけるヘリカルトラック内の所定個所に記述される。なお，記録媒体１４におけるヘリカルトラックについては後程詳細する。
【００７１】
電子ショットマークデータは，電子マークデータが映像コンテンツデータに記述される際に，一意的（一対一）に特定されるメタデータである。したがって，１の電子マークデータが生成されると，上記１の電子マークデータは，予め登録された１の電子ショットマークデータに変換される。
【００７２】
電子ショットマークデータは，編集者端末装置４または撮像装置２により，電子マークデータから電子ショットマークデータに一意的に変換される。さらに，撮像装置２により記録媒体１４における長手方向のタイムコードトラックに電子マークデータが記述される画像フレームデータと同期して記録媒体１４に記述される。
【００７３】
したがって，映像コンテンツデータに記述された電子マークデータまたは電子ショットマークデータを，粗編集処理において，インデックスとして索引することにより，短時間に目的とした映像データまたは音声データなどからなる映像シーンを検索することが可能となる。
【００７４】
さらに，映像コンテンツデータを記録再生装置（ＶＴＲ）などにより，繰返し再生処理をせずに，事前に本編集に必要となる映像シーンを選択する作業の効率化を図れる。特に，電子ショットマークデータは，テープの位置を示すタイムコードデータと同じく，映像コンテンツデータを視聴するための通常再生よりも速い再生速度である変速再生時の場合でも検出することが可能である。
【００７５】
（１．２  記録媒体１４におけるヘリカルトラックについて）
次に，図４を参照しながら，撮像装置２により電子マークデータが記録される記録媒体１４について説明する。図４は，本実施の一形態にかかる記録媒体を示した説明図である。
【００７６】
図４に示すように，記録媒体１４は，テープ上に回転ヘッド３７の走行方向にヘリカルスキャンにより形成されるヘリカルトラック８２と，記録媒体１４であるテープの長手方向に形成されるコントロールトラックＣＴＬと，映像コンテンツデータと同期する時間軸であるタイムコードトラックＴＣから構成される。
【００７７】
ヘリカルトラック８２は，ＳＭＰＴＥにより標準規格されており，１フレームの映像データは，例えば，１０個または１２個等からなる１組のヘリカルトラックに記録される。
【００７８】
ヘリカルトラック８２は，映像データ信号が記録されるビデオ信号フィールド８０と，音声データ信号が記録されるオーディオ信号フィールド８１と，ＡＵＸ（Ａｕｘｉｌｉａｒｙ）信号フィールド８３とから構成される。なお，映像データ信号および音声データ信号は，アナログ形式で記録されてもよい。また，映像データ信号および音声データ信号は，例えばＭＰＥＧ−２規格などに基づいて圧縮されてもよい。
【００７９】
次に，図５を参照しながら，ＡＵＸ信号フィールド８３について説明する。図５は，ＡＵＸ信号フィールド８３を示す説明図である。
【００８０】
図５に示すように，ＡＵＸ信号フィールド８３は，「ヘッダ」部と，５バイトからなる「システム」部と，１０４バイトからなる「ユーザデータ」部と，３５バイトからなる「リザーブ」部と，１２バイトからなる「パリティ」部とから構成されるフォーマットである。
【００８１】
さらに，「ユーザデータ」部を，図６を参照しながら説明する。図６は，ユーザデータ部を示す説明図である。
【００８２】
図６に示すように，１０４バイトからなる「ユーザデータ」部は，「ヘッダ」部と，「電子マーク」部とから構成されるフォーマットである。「電子マーク」部には，テキストデータからなる電子マークデータが格納される。
【００８３】
したがって，電子マークデータは，記録媒体１４におけるヘリカルトラック８２のＡＵＸ信号フィールド８３内の「ユーザデータ」部に格納される。
【００８４】
（１．３  タイムコードについて）
次に，図４および図７を参照しながらタイムコードについて説明する。図７は，タイムコードトラックＴＣに記録されるタイムコードを示す説明図である。
【００８５】
タイムコードは，映像シーンの画像フレームデータのフレームと同期する時間位置を示して，フレーム単位に，図４に示す，タイムコード（Ｌｏｎｇｉｔｕｄｉｎａｌ  ｔｉｍｅ  ｃｏｄｅ）トラックＴＣにタイムコードデータとして記録される。
【００８６】
図７に示すように，タイムコードトラックＴＣに記録されるタイムコードデータは，８０ビットからなる１フレームを１単位として構成されている。この１フレームは，同期信号を記録するための同期信号エリア，時間（ＨＨ），分（ＭＭ），秒（ＳＳ），フレーム（ＦＦ）を表すタイムコード（ＨＨ：ＭＭ：ＳＳ：ＦＦ）を記録するための８個のタイムコード記録ビットエリアと，ユーザーズビット（Ｄ１Ｄ２：Ｃ１Ｃ２：Ｂ１Ｂ２：Ａ１Ａ２）を記録するための８個のユーザーズビット記録エリアとから構成されている。
【００８７】
図７に示すように，タイムコードの時間（ＨＨ）情報は，ビット４８〜５１およびビット５６〜５９で表される２つのビットエリア（Ｈ，Ｈ）に記録されて，分（ＭＭ）情報は，ビット３２〜３５およびビット４０〜４２で表される２つのビットエリアに記録されて，秒（ＳＳ）情報は，ビット１６〜１９およびビット２４〜２６で表される２つのビットエリアに記録されて，フレーム（ＦＦ）情報は，ビット０〜３およびビット８〜９で表される２つのビットエリアに記録される。
【００８８】
（１．３．１  タイムコードトラックに記録される電子ショットマークデータ）ここで，電子ショットマークデータが記述（記録）されるタイムコードトラックＴＣについて説明する。
【００８９】
電子ショットマークデータは，図７に示すように，８個のユーザーズビット記録エリアのうち，ビット４４〜４７，３６〜３９で表される２つのビットエリア（Ｃ１，Ｃ２）に記述される。
【００９０】
電子ショットマークデータは，電子マークデータに基づいて一意的に変換される。例えば，電子マークデータとして「ＲＥＣ  ＳＴＡＲＴ」が映像コンテンツデータに記述される場合，電子ショットマークデータは，マークテーブルにより一意的に変換されて電子ショットマーク識別コードとして１６進数表示で，「２０」ｈが記述される。
【００９１】
（２．  映像コンテンツ編集支援システムの各コンポーネントの構成）
次に，図１，図２，および図３を参照しながら，本実施の形態にかかる映像コンテンツ編集支援システムの各コンポーネントの構成について説明する。
【００９２】
（２．１  ネットワーク１６）
ネットワーク１６は，撮像装置２と編集者端末装置４とを相互に双方向通信可能に接続するものであり，本実施の形態では，ＩＥＥＥ８０２．１１ｂ規格などを始めとした無線通信であるが，有線無線問わず，ＲＳ−２３２Ｃなどの有線通信，衛星通信，または光ファイバを使用した光通信なども含む。
【００９３】
（２．２  編集者端末装置４）
編集者端末装置４は，少なくとも中央演算処理部と，通信部と記憶部とを備えた情報処理装置であり，一般的にはコンピュータ装置である。図１に示すように，ラップトップ型の携帯用コンピュータ装置６，携帯電話８，ＰＤＡ（Ｐｅｒｓｏｎａｌ  Ｄｉｇｉｔａｌ（Ｄａｔａ）  Ａｓｓｉｓｔａｎｔｓ）である携帯情報端末装置１０などを例示することができる。
【００９４】
編集者端末装置４は，撮像装置２からリアルタイムに伝送される映像コンテンツデータを表示することができる。また，撮像装置２にネットワーク１６を介して，映像コンテンツデータに電子マークデータおよび電子ショットマークデータの記述処理または映像コンテンツデータの編集処理などをすることができる。
【００９５】
編集者端末装置４は，図２に示すように，演算機能を備えたＣＰＵ２３（中央演算処理部）と，映像コンテンツデータなどを記憶する記録媒体を備える記憶装置２０と，撮像装置２とネットワーク１６介して映像コンテンツデータなどを送受信する通信部２１と，映像コンテンツデータなどを表示する表示部２２と，入力部２４と，電子マークデータに基づいて電子マークリストデータを作成する電子マークリスト作成部２８と，電子マークデータまたは映像コンテンツデータの編集をする編集部２６と，電子マークデータを記述するためのマーク入力部２９と，電子マークデータを一意的に電子ショットマークデータに変換するマーク変換部２８とを備えている。
【００９６】
通信部２１は，ネットワーク１６を介して映像コンテンツデータ，電子マークデータ，および電子ショットマークデータなどのデータを送受信する。また，映像コンテンツデータを受信するためのビデオキャプチャなどの機能を備えている。
【００９７】
入力部２４は，ボタン，コントロールレバー，キーボード，またはマウスなどから構成されており，例えば，キーボードなどを用いて文字などのテキスト入力またはマウスやレバーを用いて表示部２２に表示される表示画面の操作などをすることができる。
【００９８】
（２．２．１  マーク変換部２８について）
マーク変換部２８は，マーク入力部により生成される電子マークデータを一意的に同定するためのマークテーブルを記憶しており，受信する電子マークデータから電子ショットマークデータに変換する。マークテーブルは，撮影する対象に応じて，多種多様なマークテーブルをマーク変換部２８に登録することが可能である。
【００９９】
（２．２．１．１  マークテーブル）
次に，図８，および図９を参照しながら，マークテーブルについて説明する。図８，および図９は，本実施の形態にかかるマークテーブルを示す説明図である。
【０１００】
マークテーブルは，撮影対象または撮影状況などに応じて，多種多様なマークテーブルを構成することが可能である。図８に示す，マークテーブル９００は，電子マークデータ９０２と，電子ショットマークデータ９０４とから構成される。
【０１０１】
本実施の形態にかかるマークテーブル９００は，野球の試合を撮影する場合，電子マークデータが記述される際に電子ショットマークデータに変換するために使用されるマークテーブルである。
【０１０２】
例えば，野球選手であるピッチャー（投手）がボール（球）を投げる映像シーン（「ＰＩＴＣＨ」）では，電子マークデータは「ＰＩＴＣＨ」が適当である。電子マークデータが「ＰＩＴＣＨ」の場合，図８に示すように，電子マークデータ９０２の「ＰＩＴＣＨ」に対応した，電子ショットマークデータ９０４の「２１」ｈ（１６進数表示）が，電子ショットマークデータとして一意的に特定される。
【０１０３】
また，図９に示す，マークテーブル１０００は，電子マークデータ１００２と，電子ショットマークデータ１００４とから構成される。本実施の形態にかかるマークテーブル１０００は，映画などの撮影をする場合，電子マークデータが記述される際に，電子ショットマークデータに変換するために使用されるマークテーブルである。
【０１０４】
例えば，複数の出演者が登場する場面において，登場する出演者全員の撮影から主人公である２人の出演者の撮影に，撮影するサイズが変わる（「ＺＯＯＭ  ＵＰ」，ズームアップ）映像シーンは，電子マークデータは「ＺＯＯＭ  ＵＰ」が適当である。
【０１０５】
電子マークデータが「ＺＯＯＭ  ＵＰ」の場合，図９に示すように，電子マークデータ１００２の「ＺＯＯＭ  ＵＰ」に対応する電子ショットマークデータ１００４の「２２」ｈ（１６進数表示）が，電子ショットマークデータとして一意的に特定される。
【０１０６】
なお，電子ショットマークデータが記述される記録媒体１４のタイムコードトラックＴＣには，予め設定された１６進数からなる電子ショットマークデータが記述されるが，予め設定される１６進数の値は，本実施の形態にかかるマークテーブルの電子ショットマークデータの値に限定されず，他の値が設定される場合であっても実施可能である。
【０１０７】
マーク入力部２９は，１または２以上のボタンから構成される電子マークデータを記述するための入力装置である。押下されるボタンの種類に応じて，予めマークテーブルに登録されたテキストデータを有する電子マークデータを生成させる。なお，マーク入力部２９は，音声入力端子などを備えて外部マイク（図示せず）から入力される音声に基づいて予めマークテーブルに設定された電子マークデータを生成させることも可能である。
【０１０８】
なお，本実施の形態にかかるマーク入力部２９はボタンである場合を例にあげて説明したが，かかる例に限定されず，例えば，ダイヤル式のボタンなど種類に応じて電子マークデータを選択できる装置であればいかなる入力装置であっても実施可能である。
【０１０９】
（２．３  撮像装置２）
次に，図３を参照しながら，撮像装置２について説明する。図３は，本実施の一形態にかかる映像コンテンツ編集支援システムの撮像装置の概略的な構成を示すブロック図である。
【０１１０】
撮像装置２は，被写体を撮影して，撮影した映像コンテンツデータを記録媒体１４に記録して，記録媒体１４に記録された映像コンテンツデータを再生する機能を有している，カメラおよびＶＴＲ（Ｖｉｄｅｏ  Ｔａｐｅ  Ｒｅｃｏｒｄｅｒ）とが一体となった装置である。
【０１１１】
図３に示すように，撮像装置２は，映像および音声データを記録／再生する記録／再生ブロックと，編集者端末装置４などの外部と，データの送受信を行う通信部７５と，制御装置７６と，電子マークデータおよび電子ショットマークデータを記述するマーク設定ブロックと，電子マークデータおよび電子ショットマークデータを抽出するマーク抽出ブロックとから構成される。
【０１１２】
制御装置７６は，電子マークデータなどを記憶する記憶機能を備えて，さらに固定ヘッド５５，回転ヘッド部３７，ＣＰＵ６７，記録部５４，および動作制御部３３と接続して，送受信するデータまたは信号を制御する制御装置である。
【０１１３】
記録／再生ブロックは，デジタル信号記録部７１，デジタル信号再生部７２，アナログ音声信号記録部７３，アナログ音声信号発生部７４，タイムコードであるタイムコードデータ信号を記録／再生するための固定ヘッド５５および固定ヘッド３８，キャプスタンモータ３５と，ドラムモータ３６と，映像データ信号および音声データ信号を記録／再生する回転ヘッド部３７と，モータ制御部３４とから構成される。
【０１１４】
記録／再生ブロックは，被写体から撮影された映像または音声などから構成される映像コンテンツデータを，映像データ信号または音声データ信号に変換して，映像データ信号または音声データ信号として記録または再生する。また，電子マークデータ信号および電子マークデータ信号に基づいて変換される電子ショットマークデータ信号を記録媒体１４の映像コンテンツデータに記述する。
【０１１５】
記録／再生ブロックに構成される撮像装置２の電源を入れるなどの記録動作や再生動作等の動作モードなどを設定する操作スイッチ部３２は，動作制御部３３に接続されている。動作制御部３３は，操作スイッチ部３２で設定された動作モード信号ＣＴに基づきモータ制御信号ＭＣ及びモード信号ＭＳを生成，また，制御装置７６に接続されており，動作モード信号ＣＴを送受信する。
【０１１６】
モータ制御信号ＭＣはモータ制御部３４に伝送され，モード信号ＭＳは記録部５４，再生部６１，デジタル信号記録部７１，デジタル信号再生部７２，アナログ音声信号記録部７３，アナログ音声信号発生部７４及び単安定マルチバイブレータ（以下，「モノマルチ」）１７に伝送される。
【０１１７】
モータ制御部３４では，伝送されたモータ制御信号ＭＣに基づきモータ駆動信号ＭＤが生成される。このモータ駆動信号ＭＤがキャプスタンモータ３５及びドラムモータ３６に伝送されることにより，記録媒体１４である磁気テープが走行すると共に複数のヘッドを有する回転ヘッド部３７が回転する。
【０１１８】
上記回転ヘッド部３７により，電子マークデータは，撮影される映像コンテンツデータに記述されることにより，記録媒体１４に記録される。
【０１１９】
マーク設定ブロックは，設定スイッチ４０と，データ信号発生部４１と，タイムコードデータ保持部４２と，ユーザデータ保持部４３と，記録開始データ保持部４４と，電子マークテキストデータ保持部４５と，属性マークデータ保持部７８と，モノマルチ５１およびモノマルチ４７と，信号切換スイッチ１９および信号切換スイッチ７７と，マーカボタン５０と，信号変調部５３と，記録部５４と，電子マークデータに基づいて電子ショットマークデータに変化するマーク変換部４８と，マーカ入力部７９とから構成される。
【０１２０】
マーク設定ブロックは，記録媒体１４に映像コンテンツデータと同期する時間情報であるタイムコードデータが生成されて，またマーカボタン５０またはマーカ入力部７９からの入力により，電子マークデータが生成される。
【０１２１】
また，設定スイッチ部４０は，撮影時間，電子マークデータに設定されるテキストデータのパターン（種類）や，撮影場所の位置，方位，高度を測位するＧＰＳ（Ｇｌｏｂａｌ  Ｐｏｓｉｔｉｏｎｉｎｇ  Ｓｙｓｔｅｍ）情報などを記録するか否かの設定が行われ，設定信号ＳＳをパターン発生手段であるデータ信号発生部４１に伝送する。
【０１２２】
データ信号発生部４１では，設定スイッチ部４０からの設定信号ＳＳに基づきタイムコードデータＤＴ，ユーザデータＤＵ，記録開始マークデータＤＣ，および電子マークデータＤＭを生成する。ここで生成されたタイムコードデータＤＴはタイムコードデータ保持部４２に保持されると共に信号変調部５３に伝送される。
【０１２３】
またユーザデータＤＵは，ユーザデータ保持部４３に保持されると共に信号切換スイッチ４９の端子ａに伝送される。電子マークデータＤＭは電子マークデータ保持部４５に保持されると共に信号切換スイッチ７７の端子ｂに伝送される。記録開始マークデータＤＣは記録開始データ保持部７８に保持されると共に信号切換スイッチ７７の端子ａに伝送される。
【０１２４】
マーカボタン５０は，電子マークデータを記述（記録）する場合に入力されるボタンである。マーカボタン５０は，１または２以上のボタンから構成される。例えば，素晴らしい映像シーンが撮影されている場合には，電子マークデータが「ＧＯＯＤＳＨＯＴ」と記述される「ＧＯＯＤＳＨＯＴ」ボタンが入力されて，記録処理開始の場合には，「ＲＥＣ  ＳＴＡＲＴ」と記述される「ＲＥＣ  ＳＴＡＲＴ」ボタンが入力されるなど複数のボタンから構成される。マーカボタン５０の構成は，撮影される被写体，取材目的などにより随時変更することも可能である。
【０１２５】
なお，マーカボタン５０は，１度押されると，電子マークデータが撮影記録開始を示す「ＨＩＧＨＬＩＧＨＴ」と映像コンテンツデータに記述されて，２度押されると「ＧＯＯＤＳＨＯＴ」と記述されるように構成することも実施可能である。
【０１２６】
マーカボタン５０は，上記記載の通り，電子マークデータを映像コンテンツデータに記述（記録）するために操作される入力装置であり，マーカボタン５０からの入力により，操作信号ＳＧ生成されて，モノマルチ５１に伝送されると，モノマルチ５１から所定時間ハイレベル「Ｈ」のマーク信号ＧＷが信号切換スイッチ７７と論理和回路５２に伝送される。信号切換スイッチ７７では，マーク信号ＧＷによって可動端子が制御される。
【０１２７】
モノマルチ４７は，モード信号ＭＳに基づき動作モードが記録動作に移行したとき所定時間ハイレベル「Ｈ」の信号ＭＴを生成する。モードタイミング信号ＭＴは，論理和回路５２に伝送される。
【０１２８】
論理和回路５２は，信号ＭＲを信号切換スイッチ１９に伝送する。信号切換スイッチ１９では，この信号ＭＲによって可動端子が制御される。
【０１２９】
信号変調部５３は，タイムコードデータ保持部４２から伝送されたタイムコードデータＤＴの更新を行う。また更新されたタイムコードデータＤＴは，信号切換スイッチ４９で選択されたデータと共に変調されて記録データ信号ＷＴとなる。この記録データ信号ＷＴは，記録部５４に伝送される。
【０１３０】
記録部５４は，伝送される記録データ信号ＷＴを，記録データ信号ＷＳに変換して，動作制御部３３から伝送されるモード信号ＭＳに基づいて記録データ信号ＷＳを，固定ヘッド５５および回転ヘッド部３７に伝送する。さらに編集者端末装置４へ伝送するための記録データ信号ＷＳを，制御装置７６へ伝送する。
【０１３１】
なお，記録部５４は，電子マークデータを含む記録データ信号ＷＴと，マーク変換部４８により変換された電子ショットマークデータを含む記録データ信号ＷＴとを，記録データ信号ＷＳに変換して，記録データ信号ＷＳを固定ヘッド５５，回転ヘッド部３７，および制御装置７６に伝送する。
【０１３２】
回転ヘッド部３７は，記録データ信号ＷＳに基づき，電子マークデータを映像コンテンツデータに記述して，電子マークデータが記述された映像コンテンツデータを記録媒体１４に記録する。
【０１３３】
また，固定ヘッド５５は，記録データ信号ＷＳに基づき，タイムコードデータおよび電子ショットマークデータを，電子マークデータが記述された映像コンテンツデータと同期するように，記録媒体１４に記録する。
【０１３４】
（２．３．１  マーク変換部４８について）
マーク変換部４８は，受信する記録データ信号ＷＳに含まれる電子マークデータに基づき，電子ショットマークデータに変換して，変換後の電子ショットマークデータおよび変換前の電子マークデータが付加された記録信号データＷＳを記録部５４に伝送する。
【０１３５】
マーク変換部４８は，１または２以上からなる電子ショットマークデータを一意的に同定するためのマークテーブルを記憶している。したがって，電子ショットマークデータは，電子マークデータからマークテーブルに基づき一意的に変換される。
【０１３６】
（２．３．１．１  マークテーブル）
次に，図１０を参照しながら，撮像装置２におけるマークテーブルについて説明する。図１０は，本実施の形態にかかるマークテーブルを示す説明図である。
【０１３７】
図１０に示す，マークテーブル８００は，電子マークデータ８０２と，電子ショットマークデータ８０４などとから構成される。
【０１３８】
本実施の形態にかかるマークテーブル８００は，撮像装置２により電子マークデータが記述される場合，電子ショットマークデータに変換するためのマークテーブルである。
【０１３９】
したがって，例えば，記録データ信号ＷＳに含まれる電子マークデータが「ＲＥＣ  ＳＴＡＲＴ」の場合，図１０に示すように，電子マークデータ８０２の「ＲＥＣ  ＳＴＲＡＴ」に対応する電子ショットマークデータ８０４の「２０」ｈ（１６進数表示）に，電子ショットマークデータが一意的に特定される。
【０１４０】
マーク抽出ブロックは，再生部６１と，データ分離部６２と，データ保持部６３と，ユーザ領域データ保持部６４と，比較パターン発生部６６と，パターン比較部６５と，ＣＰＵ６７と，表示部６８と，選択設定スイッチ６９とから構成される。
【０１４１】
マーク抽出ブロックは，記録媒体１４に記録された映像コンテンツデータを再生することにより，映像コンテンツデータに記述されている電子マークデータまたは電子ショットマークデータを抽出する。
【０１４２】
再生部６１は，映像コンテンツデータから抽出される映像データ信号または音声データ信号を再生する固定ヘッド５５および回転ヘッド部３７に接続されており，固定ヘッド５５からの再生信号ＲＳは，再生映像コンテンツデータ信号ＲＴに変換されてデータ分離部６２に伝送される。
【０１４３】
また，映像コンテンツデータを視聴する通常再生よりも速い再生（高速ＦＦ）である変速再生時の場合，再生部６１は，再生信号ＲＳを受信して，電子ショットマークデータおよびテープの位置を示すタイムコードデータから成る再生映像コンテンツデータ信号ＲＴを伝送する。
【０１４４】
したがって，変速再生の場合，電子ショットマークデータ信号およびタイムコードデータ信号が，固定ヘッド５５により抽出されて，再生部６１からデータ分離部へ再生映像コンテンツデータ信号ＲＴとして伝送される。
【０１４５】
データ分離部６２は，再生映像コンテンツデータ信号ＲＴから映像コンテンツデータＤＴと，図７に示すユーザーズビットから構成されるユーザーズビット領域データＤＥに分離する。
【０１４６】
分離された映像コンテンツデータＤＴはデータ保持部６３に伝送されて，次の映像コンテンツデータＤＴが送信されるまで保持される。また保持された映像コンテンツデータＤＴは演算処理部（ＣＰＵ）６７に伝送される。
【０１４７】
ユーザーズビット領域データＤＥはユーザデータ領域データ保持部６４に保持される。ユーザデータ領域データ保持部６４に保持されたユーザーズビット領域データＤＥは，パターン比較部６５とＣＰＵ６７に伝送される。
【０１４８】
また，液晶ディスプレイなどから構成される表示部６８が備えられ，電子マークデータ，電子ショットマークデータ，タイムコードデータ，および映像コンテンツデータなどを表示する。
【０１４９】
パターン比較部６５は，比較パターン発生部６６と接続しており，比較パターン発生部６６で生成された電子ショットマークデータ信号または電子マークデータＤＭと，ユーザデータ領域データ保持部６４から伝送されたユーザーズビット領域データＤＥとが比較され，比較結果を示す比較信号ＣＣがＣＰＵ６７に伝送される。
【０１５０】
ＣＰＵ６７は，パターン比較部６５から伝送された比較信号ＣＣを受信して，比較結果が一致の場合は，一致した電子ショットマークデータ信号または電子マークデータＤＭが抽出されて，ＲＡＭに記憶される。記憶される電子ショットマークデータ信号または電子マークデータＤＭは，ＣＰＵ６７により，タイムコードデータＤＴなどと，表示部６８および制御装置７６に送信される。
【０１５１】
抽出された電子ショットマークデータ信号，電子マークデータＤＭを指定することにより，タイムコードデータＤＴに基づいて，該当する指定した映像コンテンツデータの画像フレームデータの位置まで移動（キューアップ）できる。
【０１５２】
なお，デジタル信号記録部７１ではデジタルの映像信号および音声信号が記録信号に変換される。またこの記録信号が動作制御部３３から伝送されたモード信号ＭＳに基づき回転ヘッド部３７に伝送されて，回転ヘッド部３７は，磁気テープである記録媒体１４に信号の記録を行う。
【０１５３】
さらに，デジタル信号記録部７１は，編集者端末装置４に映像データを送信するために，映像記録信号を制御装置７６へ伝送する。伝送された記録信号は，編集者端末装置４に送信して表示できるように，変換されて，通信部７５から，ＳＤＩによりネットワーク１６を介して，編集者端末装置４へ送信される。
【０１５４】
記録媒体１４を再生して回転ヘッド部３７から得られる再生信号は，デジタル信号再生部７２に伝送されてデジタルの映像信号や音声信号に変換されて，再生部６１および制御装置７６へ伝送される。
【０１５５】
また，アナログ音声信号記録部７３は，アナログの音声信号を記録信号に変換する。この記録信号は，動作制御部３３から伝送されるモード信号ＭＳに基づき固定ヘッド３８または制御装置７６に伝送されて記録される。記録媒体１４または制御装置７６から得られた再生信号は，アナログ音声信号再生部７４に伝送されてアナログの音声信号に変換される。
【０１５６】
（３．  映像コンテンツ編集支援システムにおける動作説明）
次に，上記のように構成された映像コンテンツ編集支援システムの動作の実施形態について説明する。
【０１５７】
（３．１  撮像装置２による映像コンテンツデータ記録処理）
次に，図３および図１１を参照しながら，撮像装置２による記録処理について説明する。図１１は，本実施の形態にかかる映像コンテンツ編集支援システムにおける撮像装置の記録処理を示すフローチャートである。
【０１５８】
まず，被写体を撮影するために，撮像装置２の操作スイッチ部３２から電源がオンになると，動作制御部３３ではＶＴＲ（Ｖｉｄｅｏ  Ｔａｐｅ  Ｒｅｃｏｒｄ）ステータスが記録状態となり，通信部７５から編集者端末装置４にＶＴＲステータス信号が送信される。
【０１５９】
つぎに設定スイッチ４０を操作することにより，撮影日時，撮影時間（タイムコード）など記録媒体１４に記述するデータの設定が行われる。
【０１６０】
上記設定によりデータ信号発生部４１にて，タイムコードデータＤＴとユーザデータＤＵが生成される。このタイムコードデータＤＴとユーザデータＤＵは，それぞれタイムコードデータ保持部４２とユーザデータ保持部４３に保持されて，保持されたデータはタイムコードデータ保持部４２とユーザデータ保持部４３から出力される。
【０１６１】
また，設定スイッチ４０が操作されて電子マークデータまたは記録開始マークデータを記述するように選択されると，データ信号発生部４１は，記録開始マークデータＤＣおよび電子マークデータＤＭを生成する。
【０１６２】
記録開始マークデータＤＣおよび電子マークデータＤＭは，記録開始データ保持部７８および電子マークデータ保持部４５に保持されて，保持されたデータは，記録開始データ保持部７８または電子マークテキストデータ保持部４５から出力される。
【０１６３】
図１１に示すように，操作スイッチ部３２が操作されて，編集者端末装置４にＶＴＲステータス信号を送信して，記録処理が開始される（Ｓ１１０２）と，動作制御部３３から出力されるモータ制御信号ＭＣに基づき記録（記述）状態であれば（Ｓ１１０４），モータ制御部３４により，モータ駆動信号ＭＤがキャプスタンモータ３５およびドラムモータ３６に伝送されて，記録媒体１４のテープ走行が開始されると共に回転ヘッド部３７が回転する。
【０１６４】
また，記録状態である場合（Ｓ１１０４），動作制御部３３から出力された記録動作を示すモード信号ＭＳに基づいてデジタル信号記録部７１から記録信号が回転ヘッド部３７に伝送されて，図４に示すヘリカルトラック８２にデジタルビデオ（映像）信号及びオーディオ（音声）信号が記録される（Ｓ１１０６）。したがって，映像コンテンツデータの記録処理（Ｓ１１０６）は，記録状態（Ｓ１１０４）である間，継続して記録処理が行われる。
【０１６５】
さらに，記録信号は，制御装置７６に伝送されて，通信部７５を介して，編集者端末装置４に伝送される（Ｓ１１０８）。なお，伝送する際に，編集者端末装置４に送信負荷の小さい低解像度の映像コンテンツデータに変換してから，伝送することも実施可能である。
【０１６６】
（３．２  編集者端末装置４による記述処理）
次に，図２，図１１，および図１２を参照しながら，編集者端末装置４による電子マークデータおよび電子ショットマークデータ記述処理について説明する。図１２は，本実施の形態にかかる編集者端末装置による電子マークデータおよび電子ショットマークデータの記述処理を示すフローチャートである。
【０１６７】
まず，図１２に示すように，撮像装置２による撮影処理の開始前に，編集者端末装置４の電源をオンにして，映像コンテンツデータを受信できるように，記録媒体１４を識別するメディアＩＤ，複数あるマークテーブルから使用するマークテーブルの選択などが設定される。
【０１６８】
編集者端末装置４は，撮像装置２が記録状態をＶＴＲステータス信号の受信により確認すると，撮影処理が開始される（Ｓ１１０６）と，図１２に示すように，撮像装置２から映像コンテンツデータを受信して（Ｓ１２０２），通信部２１により受信した映像コンテンツデータが表示部２２に表示される。なお，表示部２２に表示される表示画面については，後程詳述する図１７に示すマスタボードデータ表示画面１６００とほぼ同様の構成であることから詳細説明は省略する。
【０１６９】
編集者端末装置４に備わるマーク入力部２９により，映像シーンに応じた予め登録された電子マークデータを設定するため，所定のボタンが入力される（Ｓ１２０４）と，入力されたボタンに基づいて電子マークデータＤＭが生成される（Ｓ１２０６）。
【０１７０】
例えば，映像コンテンツデータの見せ場である映像シーンである場合，電子マークデータが「ＨＩＧＨＬＩＧＨＴ」と記述される「ＨＩＧＨＬＩＧＨＴ」ボタン（図示せず）が入力されると，「ＨＩＧＨＬＩＧＨＴ」の電子マークデータＤＭが生成される。
【０１７１】
次に，電子マークデータＤＭが生成されると，電子マークデータＤＭに基づいて，マーク変換部２８により，電子ショットマークデータ信号に変換して（Ｓ１２０８），電子ショットマークデータ信号が生成される。
【０１７２】
生成された電子ショットマークデータ信号および電子マークデータＤＭは，通信部２１からＳＤＩなどによりネットワーク１６を介して，撮像装置２の通信部７５に伝送される（Ｓ１２１０）。
【０１７３】
撮像装置２の通信部７５が，電子マークデータＤＭおよび電子マークデータ信号を受信すると，制御装置７６により，受信された電子マークデータＤＭおよび電子マークデータ信号は，記録データ信号ＷＴに変換されて，映像コンテンツデータに記述されるために記録部５４へ伝送される。
【０１７４】
記録データ信号ＷＴを受信した記録部５４は，記録データ信号ＷＳ変換して，固定ヘッド５５および回転ヘッド部３７に，記録データ信号ＷＳをそれぞれ伝送する。
【０１７５】
回転ヘッド部３７は，記録データ信号ＷＳに基づいて，電子マークデータを映像コンテンツデータに記述して，記録媒体１４に記録する。固定ヘッド５５は，記録データ信号ＷＳに基づいて，上記電子マークデータが記述された映像コンテンツデータのフレームに同期するように，記録媒体１４のタイムコードトラックＴＣにタイムコードデータおよび電子ショットマークデータを記録（記述）する（Ｓ１２１２）。
【０１７６】
電子マークデータおよび電子ショットマークデータの記述処理は，図１１に示す記録（記述）処理（Ｓ１１０６）である間，編集者端末装置４または撮像装置２により，映像コンテンツデータに電子マークデータを記述する処理（Ｓ１２０２〜Ｓ１２１２）が継続される。
【０１７７】
ネットワーク１６は，無線でも実施可能であり，撮像装置２とは物理的に離れた個所からでも編集者端末装置４は電子マークデータおよび電子ショットマークデータの記述処理が可能であることから，編集作業に適した環境で，撮影現場とほぼ同じ視点で，電子マークデータおよび電子ショットマークデータの記述をすることができる。
【０１７８】
（３．３  撮像装置２による記述処理）
次に，図３，図１１，および図１３を参照しながら，撮像装置２による電子マークデータおよび電子ショットマークデータ記述処理について説明する。図１３は，本実施の形態にかかる撮像装置による電子マークデータおよび電子ショットマークデータの記述処理を示すフローチャートである。
【０１７９】
まず，撮像装置２の操作スイッチ３２によりＶＴＲステータス信号が編集者端末装置４に送信されて，図１１に示す，撮像装置２により，撮影処理が開始される（Ｓ１１０６）。
【０１８０】
図１３に示すように，撮影の記録処理中（Ｓ１１０６）に，撮影記録開始を示す「ＲＥＣ  ＳＴＡＲＴ」ボタンまたは「ＧＯＯＤ  ＳＨＯＴ」ボタンから構成されるマーカボタン５０によりボタンが入力されて（Ｓ２２０２），入力されるボタンに応じて，操作信号ＳＧが生成される。
【０１８１】
動作制御部３３から，記録動作を示すモード信号ＭＳがモノマルチ４７に伝送されると，モノマルチ４７から所定時間ハイレベル「Ｈ」のモードタイミング信号ＭＴが出力されて，データ信号発生部４１で記録開始マークデータＤＣおよび電子マークデータＤＭが生成される（Ｓ２２０４）。
【０１８２】
マーカ入力部７９またはマーカボタン５０により生成された操作信号ＳＧが，モノマルチ５１に送信されて，モノマルチ５１から出力されるマーク信号ＧＷは所定時間ハイレベル「Ｈ」になるので，信号切換スイッチ７７の可動端子は端子ｂ側となる。またマーク信号ＧＷが所定時間ハイレベル「Ｈ」とされるので，信号ＭＲも所定時間ハイレベル「Ｈ」となり，信号切換スイッチ４９の可動端子は端子ｂ側になる。
【０１８３】
したがって，信号変調部５３には，マーカ入力部７９またはマーカボタン５０の入力により生成された電子マークデータＭＤが伝送される。電子マークデータＭＤおよびタイムコードデータＤＴは，信号変調部４９により，記録データ信号ＷＴに変換されて，記録部５４へ伝送される。
【０１８４】
記録データ信号ＷＴを受信した記録部５４は，記録データ信号ＷＴに電子マークデータが含まれているのを検知すると，マーク変換部４８に電子マークデータから電子ショットマークデータに変換させる（Ｓ２２０６）。
【０１８５】
記録部５４は，マーク変換部４８により，電子マークデータから変換されて電子ショットマークデータが付加された記録データ信号ＷＴを受信する。
【０１８６】
固定ヘッド５５は記録データ信号ＷＳに基づいて，記録媒体１４のタイムコードトラックＴＣにタイムコードデータおよび電子ショットマークデータを記述して，回転ヘッド部３７は，記録データ信号ＷＳに基づいて，電子マークデータを映像コンテンツデータに記述して，記録媒体１４に記録する（Ｓ２２０８）。
【０１８７】
電子マークデータの記述処理は，図１１に示す記録（記述）処理（Ｓ１１０６）である間，編集者端末装置４または撮像装置２により，映像コンテンツデータに電子マークデータを記述する処理（Ｓ２２０２〜Ｓ２２０８）が継続される。
【０１８８】
（４．  編集者端末装置４による映像コンテンツデータの編集処理）
次に，本実施の形態にかかる編集者端末装置４による映像コンテンツデータの編集処理について説明する。
【０１８９】
（４．１  編集者端末装置４によるショットカードデータ作成処理）
まず，図１４を参照しながら，編集者端末装置４によるショットカードデータ作成処理について説明する。図１４は，本実施の形態にかかる編集者端末装置４によるショットカードデータ作成処理を示すフローチャートである。
【０１９０】
まず，撮像装置２による撮影が終了して映像コンテンツデータが記録媒体１４に記録された状態から，編集者端末装置４の電源をオンにして，撮影された映像コンテンツデータを受信できるように，撮像装置２が記録する記録媒体１４を識別するメディアＩＤなどを事前に設定する。
【０１９１】
次に，編集部２６により，ショットカードデータを作成するためのマスタボードデータが作成される（Ｓ１３０２）。マスタボードデータを作成する場合，図１５に示す，マスタボードデータ作成の表示画面が編集者端末装置４の表示部２２に表示される。図１５は，本実施形態にかかる編集者端末装置の表示例を示す説明図である。
【０１９２】
図１５に示すように，マスタボードデータ作成の表示画面は，マスタボードデータの名称である「ボード名称」と，マスタボードデータの種類を示す「ボードタイプ」と，作成日付である「日付」と，記録媒体１４を識別するメディアＩＤである「Ｒｅｅｌ番号」とから構成される。
【０１９３】
また「詳細」ボタンをマウスなどで選択されることにより，図１６に示す，ショットカードデータに抽出される画像フレームデータの取込まれるタイミングを設定する表示画面が表示部２２に表示される。
【０１９４】
次に，図１６を参照しながら，画像フレームデータが取込まれるタイミングを設定する表示画面について説明すると，図１６に示すように，タイミング設定表示画面１５００は，画像フレームデータを取込む（キャプチャ）タイミングを設定するタイミング入力部１５０２と，「決定」ボタンと，「キャンセル」ボタンとから構成される。
【０１９５】
タイミング入力部１５０２に入力される数値により，ショットカードデータに設定される画像フレームデータは，電子マークデータおよび電子ショットマークデータが記述される映像コンテンツデータの画像フレームデータよりも予め設定されたタイムラグだけ，前後する画像フレームデータが抽出される。
【０１９６】
したがって，被写体の動作が激しい撮影処理などの場合は，マーク入力部２９の入力するタイミングが相違するため，予め画像フレームデータを抽出する基準を調節することにより，電子マークデータに適応した画像フレームデータの抽出が可能となる。
【０１９７】
図１６に示すように，例えば，タイミング入力部１５０２に，「−３」が入力されると，電子マークデータが記述された画像フレームデータから３秒遅れた（Ｄｅｌａｙ）フレーム位置の画像フレームデータが抽出される。
【０１９８】
図１５に示すように，「ボード名称」，「ボードタイプ」，「日付」，および「Ｒｅｅｌ番号」のそれぞれに必要項目を入力して，「はい」ボタンがマウスなどで選択されることにより，マスタボードデータが作成される（Ｓ１３０２）。なお，マスタボードデータが表示部２２により表示されるマスタボードデータ表示画面については後程詳述する。
【０１９９】
次に，マスタボードデータが作成されると（Ｓ１３０２），編集者端末装置４は，再生状態であるＶＴＲステータス信号を受信して，撮像装置２により撮影された映像コンテンツデータの再生処理が開始される（Ｓ１３０４）。本実施の形態にかかる再生処理は，映像コンテンツデータを視聴する通常再生処理よりも，高速な変速再生処理であるが，映像コンテンツデータを視聴する通常再生処理でも実施可能である。
【０２００】
映像コンテンツデータの再生処理が開始される（Ｓ１３０４）と，記録媒体１４に記録された該当する映像コンテンツデータが終了するまで再生処理が継続されて，再生部６１は，固定ヘッド５５から再生信号ＲＳを受信して，電子ショットマークデータおよび記述された電子ショットマークデータの位置を示すタイムコードデータからなる再生映像コンテンツデータ信号ＲＴを伝送する。
【０２０１】
ＣＰＵ６７は，パターン比較部６５から受信する比較信号ＣＣが，比較パターン発生部６６の電子ショットマークデータ信号とユーザーズビット領域データＤＥとが一致を示す比較結果である場合，一致した電子ショットマークデータ信号を抽出する（Ｓ１３０６）。
【０２０２】
抽出された電子ショットマークデータ信号は，ＣＰＵ６７のＲＡＭに抽出される毎に，電子ショットマークデータおよび抽出された時点のタイムコードデータが記憶される。なお，電子ショットマークデータをＲＡＭに記憶せずに，電子ショットマークデータ信号を抽出する毎に，制御装置７６へ送信して，通信部７５により抽出済電子ショットマークデータおよびタイムコードデータが，編集者端末装置４へ伝送されてもよい。
【０２０３】
電子ショットマークデータの抽出は（Ｓ１３０６），映像コンテンツデータの再生処理が終了するまで続けられるが，映像コンテンツデータの再生処理が終了して，電子ショットマークデータの抽出処理が終了すると（Ｓ１３０８），ＲＡＭに記憶された抽出済電子ショットマークデータおよびタイムコードデータが編集者端末装置４に伝送される。
【０２０４】
編集者端末装置４の通信部２１は，抽出済電子ショットマークデータおよびタイムコードデータを受信すると，抽出済電子ショットマークデータおよびタイムコードデータは，記憶装置２０に記憶される。
【０２０５】
ＣＰＵ２３は，記憶された抽出済電子ショットマークデータおよびタイムコードデータに該当する画像フレームデータおよび電子マークデータを抽出するため，撮像装置２に映像コンテンツデータの送信要求データ信号を，通信部２１から伝送させる。
【０２０６】
送信要求データ信号を受信した撮像装置２は，ＣＰＵ６７のＲＡＭに記憶された抽出済電子ショットマークデータおよびタイムコードデータに基づき，映像コンテンツデータの記述された電子ショットマークデータおよびタイムコードデータの位置まで，記憶媒体１４のテープ位置を移動（キューアップ）させて，同期する電子マークデータが記述された映像コンテンツデータを，ＳＤＩによりネットワーク１６を介して通信部２１に伝送する。
【０２０７】
なお，上記電子マークデータが記述された映像コンテンツデータは，記憶された抽出済電子ショットマークデータおよびタイムコードデータ全件について，伝送されるが，必要である抽出済電子ショットマークデータおよびタイムコードデータについて，上記電子マークデータが記述された映像コンテンツデータが伝送されることも実施可能である。
【０２０８】
編集部２６は，上記電子マークデータが記述された映像コンテンツデータを，通信部２１により受信する（１３１０）と，受信された映像コンテンツデータに基づいて，電子マークデータを抽出して，記述された電子マークデータを基準に映像コンテンツデータの画像フレームデータを抽出して（Ｓ１３１２），タイムコードや映像シーンの特徴などの見出し情報が表示されるショットカードデータを作成する。
【０２０９】
なお，上記記載の説明の通り，マスタボードデータ作成する際に，画像フレームデータの取込まれるタイミングが設定されている場合は，編集部２６は，抽出された電子マークデータを基準として，設定されたタイミングに応じて画像フレームデータを抽出する。また，ショットカードデータが表示部２２により表示されるショットカード表示画面は後程詳述する。
【０２１０】
編集部２６は，電子マークデータが記述された映像コンテンツデータが伝送されてショットカードデータの作成がすべて終了するまで（Ｓ１３１４），電子マークデータを受信（Ｓ１３１０）および画像フレームデータの抽出（Ｓ１３１２）をして，ショットカードデータの作成処理を継続する。
【０２１１】
電子マークデータおよび電子ショットマークデータが記録された記録媒体１４により，撮影時とは相違する別の撮像装置２により記録媒体１４を高速な変速再生処理して，電子ショットマークデータを検出して，電子マークデータの記述するために使用された別の編集者端末装置４によりショットカードデータを作成することも可能であることから，汎用性の高い編集処理作業が可能となる。
【０２１２】
（４．１．１  マスタボードデータ表示画面１６００）
ここで，図１７を参照しながら，編集部２６により作成されたマスタボードデータが表示部２２により表示される表示画面について説明する。図１７は，本実施の形態にかかる編集者端末装置４に表示されるマスタボードデータの表示例を示す説明図である。
【０２１３】
図１７に示すように，マスタボードデータ表示画面１６００は，映像表示部１６０４と，ショットカードデータが作成される毎に表示するショットカードデータ表示部１６０２とから構成される。
【０２１４】
映像表示部１６０４は，映像コンテンツデータを再生または停止など制御することにより，映像コンテンツデータが表示される映像ディスプレイ１６０８と，ショットカードデータに必要な情報を記録するためのメッセージ入力部１６０６と，記述された電子マークデータのテキストデータの内容が表示される電子マークデータ表示部１６１０とから構成されている。
【０２１５】
また，映像表示部１６０４に表示される「ＡＢＳ」は，撮影された映像コンテンツデータからショットカードデータが作成された順番を示す絶対的番号が表示されて，「Ｒｅｅｌ」は，記録媒体１４を識別するメディアＩＤが表示されて，「Ｓｃｅｅｎ」は，ショットカードデータ表示部に並べて表示される順番を示す相対的番号が表示される。
【０２１６】
なお，電子マークデータ表示部１６１０は，映像コンテンツデータに記述された電子マークデータが抽出されたテキストデータの内容が表示されるが，抽出されたテキストデータの内容を編集して記録媒体１４に記述された電子マークデータを変更することも可能である。
【０２１７】
（４．１．２  ショットカードデータ表示画面について）
次に，図１８を参照しながら，編集部２６により作成されたショットカードデータが表示部２２により表示される表示画面について説明する。図１８は，本実施の形態にかかる編集者端末装置に表示されるショットカードデータの表示例を示す説明図である。
【０２１８】
図１８に示すように，ショットカードデータ表示画面１７００は，編集部２６により変換された電子マークデータのテキスト内容を表示する電子マークデータ表示部１６１０と，メッセージ入力部１６０６と，抽出された画像フレームデータが表示される画像表示部１７０４と，電子マークデータが映像コンテンツデータに記述された位置（キュー点）を示すタイムコード１７０８と，編集開始点のタイムコードを示すＩｎ点１７１０と，編集終了点のタイムコードを示すＯｕｔ点１７１２から構成される。
【０２１９】
メッセージ入力部１６０６は，図１７に示すメッセージ１６０６に入力された内容が，編集部２６のショットカードデータの作成処理により，メッセージ入力部１６０６に設定される。
【０２２０】
ショットカードデータ表示画面１７００は，編集者端末装置４の編集部２６が電子マークデータを受信する毎に，編集部２６により上記ショットカードデータが作成されて，図１９に示すように，ショットカードデータ表示部１６０２にショットカードデータ表示画面１７００（１７００ａ，１７００ｂ，・・・，１７００ｅ）と表示される。
【０２２１】
図１４に示すように，抽出が終了したと判断されると（Ｓ１３１４），ショットカードデータの作成処理が終了する。終了後，ストーリーボードデータを作成することにより，図１９に示すように，編集者端末装置４から直接映像コンテンツデータの粗編集処理を行うことが可能である。なお，ストーリーボードデータについては後程詳述する。
【０２２２】
粗編集処理は，映像コンテンツデータから本編集に必要な映像シーンを選択することから始まるが，ショットカードデータ表示部１６０２に表示されるショットカードデータ表示画面１７００（１７００ａ，１７００ｂ，・・・，１７００ｅ）は，映像コンテンツデータの内，何らか特徴のある（出来事があった）映像シーンの一覧であることを示している。
【０２２３】
したがって，ショットカードデータ表示部１６０２に表示されたショットカードデータ表示画面１７００から映像シーンを選択すればよく，さらに選択の際に，ショットカードデータ表示画面１７００には，電子マーク表示部１６１０が表示されており，映像シーンの特徴が把握可能である。
【０２２４】
また，ショットカードデータ表示部１６０２に表示されるショットカードデータ表示画面１７００が複数ある場合，ショットカードデータ表示画面１７００に表示された電子マークデータ表示部１６１０をキーワードとして索引して選択することも実施可能である。索引する場合は，索引表示画面（図示せず）を表示させて，必要な映像シーンに該当するキーワードを入力することにより，キーワードに該当するショットカードデータ表示画面１７００が表示される。
【０２２５】
したがって，ショットカードデータ表示部１６０２に表示された，ショットカードデータ表示画面１７００を削除して，必要なショットカードデータ表示画面１７００を残すことにより，この時点で本編集に必要な映像シーンの選択（Ｌｏｇｇｉｎｇ）を行うことが可能となる。
【０２２６】
さらに粗編集処理は，本編集に必要な映像シーンの編集開始位置（Ｉｎ点）および編集終了位置（Ｏｕｔ点）からなる編集位置を決定する映像シーン抽出処理がある。なお，映像シーン抽出処理については後程詳述する。
【０２２７】
（４．２  選択された映像シーンの編集位置変更について）
次に，本実施の形態にかかる編集位置を決定する映像シーン抽出処理について説明する。
【０２２８】
映像シーン抽出処理は，編集位置を変更することにより可能であるが，ショットカードデータ表示画面１７００に表示されるＩｎ点１７１０およびＯｕｔ点１７１２は，変更可能である。
【０２２９】
図１９に示す，ショットカードデータ表示部１６０２に表示されるショットカードデータ表示画面１７００（１７００ａ，１７００ｂ，・・・，１７００ｅ）から変更するショットカードデータ表示画面１７００をマウスのクリックなどで選択して，「再生」ボタンをクリックすると，タイムコード１７０８に表示される位置（キュー点）まで撮像装置２の記録媒体１４に記録された映像コンテンツデータがキューアップされて，映像ディスプレイ１６０８に映像コンテンツデータが表示される。
【０２３０】
映像ディスプレイ１６０８に表示される映像コンテンツデータに基づいて，変更したい編集位置の時点で「ＩｎＰｏｉｎｔ」ボタンまたは「ＯｕｔＰｏｉｎｔ」ボタンをマウスのクリックなどで選択することにより，Ｉｎ点１７１０またはＯｕｔ点１７１２が変更される。
【０２３１】
次に，図２０および図２１を参照しながら，電子マークデータ，Ｉｎ点１７１０，およびＯｕｔ点１７１２が記述された記録媒体１４について説明する。図２０は，本実施の形態にかかる編集位置変更前の記録媒体を示す説明図であり，図２１は，本実施の形態にかかる編集位置変更後の記録媒体を示す説明図である。
【０２３２】
図２０に示すように，記録媒体１４は，映像シーン１，映像シーン２，・・・，映像シーン５からなる映像コンテンツデータが記録されている。例えば，映像シーン３に電子マークデータが記述された場合，図２０に示すように，映像シーン３の撮影（記録）処理開始時にＩｎ点１７１０が記述されて，映像シーン４の撮影（記録）処理開始時にＯｕｔ点１７１２が記述される。
【０２３３】
上記記載の説明より，図１９に示すように，編集位置を変更するショットカードデータ表示画面１７００を選択して，「ＩｎＰｏｉｎｔ」ボタンまたは「ＯｕｔＰｏｉｎｔ」ボタンをマウスなどで入力することにより，所望のＩｎ点１７１０およびＯｕｔ点１７１２を変更する。
【０２３４】
編集位置変更後の記録媒体１４は，図２１に示すように，Ｉｎ点１７１０およびＯｕｔ点１７１２が変更されている。本編集では，映像シーン３を，編集位置変更後のＩｎ点１７１０からＯｕｔ点１７１２までの映像シーンが使用される。
【０２３５】
上記電子マークデータが映像コンテンツデータに記述されずに，編集位置を変更する場合は，まず映像コンテンツデータから，映像シーン３を抽出する処理が必要となり，編集者による目視の抽出作業の負担が大きいが，電子マークデータの記述により，目的の映像シーンを抽出する作業の効率が非常に改善される。
【０２３６】
（４．３  ストーリーボードデータの作成）
次に，ショットカードデータ作成処理が終了すると，映像コンテンツデータから本編集で使用する映像シーンを，脚本などにより作成された物語性を有する編集構成の順に並べるストーリーボードデータが作成される。
【０２３７】
（４．３．１  ストーリーボードデータ表示画面について）
ここで，図１９を参照しながら，ストーリーボードデータが表示部２２により表示される表示画面について説明する。図１９は，本実施の形態にかかる編集者端末装置に表示されるストーリーボードデータの表示例を示す説明図である。
【０２３８】
図１９に示すように，編集部２６により，ストーリーボードデータが作成されると，表示部２２によりストーリーボードデータ表示画面１８０２が表示される。
【０２３９】
図１９に示すように，ストーリーボードデータ表示画面１８０２は，ストーリーカードデータ表示画面２１００（２１００ａ，２１００ｂ，２１００ｃ）を一覧表示する。なお，新規作成されたストーリーボードデータ表示画面１８０２は，ストーリーカードデータ表示画面２１００は何も表示されない状態である。
【０２４０】
ストーリーボードデータ表示画面１８０２は，ショットカードデータ表示画面１７００をマウスのクリックなどで選択して，黒矢印１８０４にドラッグ（移動）することにより，ストーリーカードデータ表示画面２１００を表示する。なお，ドラッグ以外の選択移動手段によっても実施可能である。例えば，ダブルクリックなどが例示される。
【０２４１】
（４．３．２  ストーリーカードデータ表示画面について）
次に，図２２を参照しながら，ストーリーカードデータ表示画面２１００について説明する。図２２は，本実施の形態にかかる編集者端末装置に表示されるストーリーカードデータの表示例を示す説明図である。
【０２４２】
ストーリーカードデータ表示画面２１００は，選択されたショットカードデータに基づいて，編集部２６の変換処理により作成されるショットカードデータが表示部２２に表示される。
【０２４３】
図２２に示すように，ストーリーカードデータ表示画面２１００は，電子マークデータ表示部１６１０と，メッセージ入力部１６０６と，抽出された画像フレームデータが表示される画像表示部１７０４と，電子マークデータが映像コンテンツデータに記述される位置（キュー点）を示すタイムコード１７０８と，編集開始点のタイムコードを示すＩｎ点１７１０と，編集終了点のタイムコードを示すＯｕｔ点１７１２から構成される。なお，本実施の形態にかかるストーリーカードデータ表示画面２１００は，ショットカードデータ表示画面１７００と，ほぼ同様の構成により詳細な説明は省略する。
【０２４４】
（４．４  編集情報データ作成）
ストーリーボードデータの編集作業が終了すると，編集者端末装置４の編集部２６は，ストーリーボードデータに構成されるストーリーカードデータの選択された映像シーンの編集位置（タイムコード）などを含む編集情報に基づいて編集情報データを作成することが可能である。
【０２４５】
編集情報データは，必要に応じて，ＥＤＬ（Ｅｄｉｔ  Ｄｅｃｉｓｉｏｎ  Ｌｉｓｔ），ＸＭＬ（ｅＸｔｅｎｓｉｂｌｅ  Ｍａｒｋｕｐ  Ｌａｎｇｕａｇｅ），ＡＬＥ（Ａｖｉｄ  Ｌｏｇ  Ｅｘｃｈａｎｇｅ），またはＨＴＭＬ（Ｈｙｐｅｒ  Ｔｅｘｔ  Ｍａｒｋｕｐ  Ｌａｎｇｕａｇｅ）のいずれかの形式から作成される。作成された編集情報データに基づいて，本編集においてマスタデータとなる映像コンテンツデータを効率よく，オンライン編集などの編集をすることが可能となる。
【０２４６】
上記編集情報データは，図１に示すメモリスティックなどの記録媒体１２に記憶させて，本編集作業に使用するオンライン編集装置（図示せず）により記録媒体１２に記憶された編集情報データを読み取ることが可能である。なお，記録媒体１２を使用せずにネットワークを介して編集情報データをオンライン編集装置に送信することも可能である。
【０２４７】
撮影処理と並行して，編集者端末装置４または撮像装置２から，本編集に使用される映像シーンの特徴である電子マークデータを映像コンテンツデータに記述が行われる。
【０２４８】
撮影処理後，映像コンテンツデータの再生処理において電子ショットマークデータを検出すると，記述された電子マークデータを基準に，抽出された映像シーンの画像フレームデータおよび見出し情報が表示されたショットカードデータが作成される。
【０２４９】
したがって，必要な映像シーンを取捨選択（Ｌｏｇｇｉｎｇ）して，本編集に使用する映像シーンの抽出する粗編集の作業が，ショットカードデータに表示される見出し情報または画像フレームから効率的に処理することが可能となる。
【０２５０】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０２５１】
上記実施形態においては，撮影処理終了後の編集者端末装置によるショットカードデータ作成処理の場合を例にあげて説明したが，本発明はかかる例に限定されない。例えば，撮影処理中において，撮像装置２よりリアルタイムに伝送される映像コンテンツデータおよび編集者端末装置４によりボタン入力されて生成される電子マークデータに基づいてショットカードデータを作成することも実施可能である。
【０２５２】
また上記実施形態においては，記録媒体１４の再生処理は変速再生処理の場合を例にあげて説明したが，本発明はかかる例に限定されず，映像コンテンツを視聴するための通常再生の場合でも実施可能である。
【０２５３】
また上記実施形態においては，電子ショットマークデータを抽出する場合を例にあげて説明したが，本発明はかかる例に限定されず，通常再生の場合，電子マークデータを抽出して，ショットカードデータを作成することも実施可能である。
【０２５４】
また上記実施形態においては，撮像装置２から記録媒体１４を再生処理することにより，編集者端末装置４によりショットカードデータを作成する場合を例にあげて説明したが，本発明はかかる例に限定されず，撮影処理時に伝送されて編集者端末装置４に記録された映像コンテンツデータに基づきショットカードデータを作成することも実施可能である。
【０２５５】
【発明の効果】
以上説明したように，本発明によれば，撮影する場所を問わず，撮影処理により記録された映像コンテンツデータから，必要な映像シーンを選択して，選択された映像シーンから使用する部分の抽出を行う編集作業を効率的に実施することが可能となる。
【図面の簡単な説明】
【図１】本実施の形態にかかる映像コンテンツ編集支援システムの概略的な構成を示すブロック図である。
【図２】本実施の形態にかかる映像コンテンツ編集支援システムの編集者端末装置の概略的な構成を示すブロック図である。
【図３】本実施の形態にかかる映像コンテンツ編集支援システムの撮像装置の概略的な構成を示すブロック図である。
【図４】本実施の形態にかかる映像コンテンツ編集支援システムの記録媒体の概略的な構成を示す説明図である。
【図５】本実施の形態にかかる映像コンテンツ編集支援システムのＡＵＸ信号フィールドの概略的な構成を示す説明図である。
【図６】本実施の形態にかかる映像コンテンツ編集支援システムのユーザデータ部のフォーマットの一例を示す説明図である。
【図７】本実施の形態にかかる映像コンテンツ編集支援システムのタイムコードトラックに記録されるタイムコードのフォーマットの一例を示す説明図である。
【図８】本実施の形態にかかる映像コンテンツ編集支援システムのマークテーブルの概略的な構成を示す説明図である。
【図９】本実施の形態にかかる映像コンテンツ編集支援システムのマークテーブルの概略的な構成を示す説明図である。
【図１０】本実施の形態にかかる映像コンテンツ編集支援システムのマークテーブルの概略的な構成を示す説明図である。
【図１１】本実施の形態にかかる映像コンテンツ編集支援システムの撮像装置の記録処理を示すフローチャートである。
【図１２】本実施の形態にかかる映像コンテンツ編集支援システムの編集者端末装置による電子マークデータおよび電子ショットマークデータの記述処理を示すフローチャートである。
【図１３】本実施の形態にかかる映像コンテンツ編集支援システムの撮像装置による電子マークデータおよび電子ショットマークデータの記述処理を示すフローチャートである。
【図１４】本実施の形態にかかる映像コンテンツ編集支援システムの編集者端末装置によるショットカードデータ作成処理を示すフローチャートである。
【図１５】本実施の形態にかかる映像コンテンツ編集支援システムの編集者端末装置によるマスタボードデータ作成の表示例を示す説明図である。
【図１６】本実施の形態にかかる映像コンテンツ編集支援システムの編集者端末装置に表示される画像フレームデータの取込まれるタイミング設定の表示例を示す説明図である。
【図１７】本実施の形態にかかる映像コンテンツ編集支援システムの編集者端末装置に表示されるマスタボードデータの表示例を示す説明図である。
【図１８】本実施の形態にかかる映像コンテンツ編集支援システムの編集者端末装置に表示されるショットカードデータの表示例を示す説明図である。
【図１９】本実施の形態にかかる映像コンテンツ編集支援システムの編集者端末装置に表示されるストーリーボードデータの表示例を示す説明図である。
【図２０】本実施の形態にかかる映像コンテンツ編集支援システムの編集位置変更前の記録媒体の概略的な構成を示す説明図である。
【図２１】本実施の形態にかかる映像コンテンツ編集支援システムの編集位置変更後の記録媒体の概略的な構成を示す説明図である。
【図２２】本実施の形態にかかる映像コンテンツ編集支援システムの編集者端末装置に表示されるストーリーカードデータの表示例を示す説明図である。
【符号の説明】
２    ：撮像装置
４    ：編集者端末装置
１４  ：記録媒体
１６  ：ネットワーク
２６  ：編集部
２８  ：マーク変換部
【図１】
0003951778.tif 000002
【図２】
0003951778.tif 000003
【図３】
0003951778.tif 000004
【図４】
0003951778.tif 000005
【図５】
0003951778.tif 000006
【図６】
0003951778.tif 000007
【図７】
0003951778.tif 000008
【図８】
0003951778.tif 000009
【図９】
0003951778.tif 000010
【図１０】
0003951778.tif 000011
【図１１】
0003951778.tif 000012
【図１２】
0003951778.tif 000013
【図１３】
0003951778.tif 000014
【図１４】
0003951778.tif 000015
【図１５】
0003951778.tif 000016
【図１６】
0003951778.tif 000017
【図１７】
0003951778.tif 000018
【図１８】
0003951778.tif 000019
【図１９】
0003951778.tif 000020
【図２０】
0003951778.tif 000021
【図２１】
0003951778.tif 000022
【図２２】
0003951778.tif 000023